(57)【特許請求の範囲】
【請求項１】
被保護者を保護した際に利用される被保護者連絡用タグであって、
被保護者が着用する衣服に装着可能なタグ基材と、
前記タグ基材に形成された二次元コードを有し、
前記二次元コードは、被保護者ごとに被保護者の氏名、緊急連絡先含む被保護者緊急連絡情報を二次元コード化されたものであり、
前記被保護者緊急連絡情報は、被保護者氏名、被保護者を特定する識別番号、緊急連絡先である行政機関名及び前記被保護者連絡用タグの運用センター名である、
ことを特徴とする被保護者連絡用タグ。
【請求項２】
被保護者を保護した際に利用される被保護者連絡用タグを作製し、かつ被保護者緊急連絡情報を運用管理する運用センター装置を有し、
前記運用センター装置は、
被保護者からの依頼により提出される前記被保護者緊急連絡情報が入力される入力部と、
前記入力部に入力された前記被保護者緊急連絡情報を二次元コードに変換する二次元コード変換部と、
前記二次元コード変換部で変換された二次元コードをタグ基材に印刷して被保護者連絡用タグを作製する二次元コード印刷部とを備え、
前記運用センター装置は、前記被保護者緊急連絡情報に加え被保護者申込み情報を管理し、前記被保護者申込み情報は、被保護者からの依頼により提出されて前記入力部に入力され、前記被保護者緊急連絡情報は被保護者氏名，被保護者を特定する識別番号，緊急連絡先である行政機関名及び運用センター名であり、
前記被保護者申込み情報は被保護者の氏名，居住場所，居住場所の連絡先，家族の連絡先及び被保護者かかりつけの病院名もしくは病歴である、
ことを特徴とする被保護者連絡用タグの運用・管理システム。
【請求項３】
前記運用センター装置は、所定の幅と長さを有する前記タグ基材を前記二次元コード印刷部に供給するタグ基材供給部を更に備えることを特徴とする請求項２記載の被保護者連絡用タグの運用・管理システム。
【請求項４】
被保護者を保護した際に利用される被保護者連絡用タグを作製し、かつ被保護者緊急連絡情報を運用管理する運用センター装置と、前記運用センター装置に通信回線を介して接続されたカメラ機能付きの携帯電話機と、前記運用センター装置及び前記携帯電話機に通信回線を介して接続された行政機関用の通信端末を有し、
前記運用センター装置は、被保護者からの依頼により提出される前記被保護者緊急連絡情報が入力される入力部と、前記入力部に入力された前記被保護者緊急連絡情報を二次元コードに変換する二次元コード変換部と、前記二次元コード変換部で変換された二次元コードをタグ基材に印刷して被保護者連絡用タグを作製する二次元コード印刷部とを備え、
前記携帯電話機は、徘徊する被保護者が第三者により保護された際に前記被保護者の衣服に固着された前記被保護者連絡用タグに印刷された前記二次元コードを撮像する撮像部と、前記撮像部で撮像された二次元コードをデコードするデコード部と、前記デコード部でデコードされたデータを前記被保護者緊急連絡情報として表示する表示部とを備え、
前記表示部に表示された前記被保護者緊急連絡情報から被保護者の氏名及び識別番号と緊急連絡先を確認し、かつ当該被保護者の氏名及び識別番号を前記携帯電話機及び前記通信端末を通して緊急連絡先である行政機関に通報し、さらに前記通信端末から前記運用センター装置に被保護者の氏名及び識別番号を通報して被保護者の照会を行うように構成されている、
ことを特徴とする被保護者の照会・通報システム。
【請求項５】
前記運用センター装置は、所定の幅と長さを有する前記タグ基材を前記二次元コード印刷部に供給するタグ基材供給部を更に備えることを特徴とする請求項４記載の被保護者連絡用タグの運用・管理システム。
【請求項６】
前記運用センター装置は、前記被保護者緊急連絡情報に加え被保護者申込み情報を管理し、前記被保護者申込み情報は、被保護者からの依頼により提出されて前記入力部に入力され、前記運用センター装置は、被保護者の氏名及び識別番号の通報を受けた際に前記識別番号に該当する前記被保護者申込み情報を検索し、該被保護者申込み情報を前記通信回線を介して前記通信端末に通報するように構成されていることを特徴とする請求項４または５記載の被保護者の照会・通報システム。
【発明の詳細な説明】
【技術分野】
【０００１】
本発明は、例えば、認知症を発症した徘徊者等の被保護者を保護した際に利用される被保護者連絡用タグ及び被保護者連絡用タグの運用・管理システム並びに被保護者連絡用タグを用いた被保護者の照会・通報システムに関する。
【背景技術】
【０００２】
近年高齢化が進む一方、健康保険の圧迫により在宅で高齢者を見ていく在宅介護が増えてきている。その中でも被保護者としての痴呆症老人等の徘徊者については、自宅や施設等を抜け出して徘徊しないように監視することが大切であるが、往々にして自宅や施設等に帰ることができず行方不明に陥るケースが出てきている。このため、被保護者が徘徊した場合には、その徘徊者を速やかに探索し保護するために種々のシステムが提案されている。
【０００３】
従来、被保護者である徘徊者を探索し保護するシステムとしては、徘徊者に、携帯電話機能とＧＰＳ機能を備えた被検知端末を予め持たせ、監視者側で携帯電話回線を介して徘徊者の位置情報を呼び出し、この位置情報に基づいて徘徊者の位置を特定できるようにした徘徊者の位置管理システムがある（例えば、特許文献１参照）。
【先行技術文献】
【特許文献】
【０００４】
【特許文献１】特開２０１４−７５３３号公報
【発明の概要】
【発明が解決しようとする課題】
【０００５】
上記のような従来の徘徊者位置管理システムは、携帯電話回線に通信事業者の回線を使用するため、多数の徘徊者を管理するには、徘徊者の人数分に相当する数の回線が必要になり、ランニングコストが高くなるという問題があるほか、各徘徊者には被検知端末を携帯させる必要があるため、各徘徊者が被検知端末を携帯しているか否かの確認及びその管理に際しては、介護者や保護者の負担が大きくなるという問題がある。さらに、携帯電話機能とＧＰＳ機能を備えた被検知端末は、比較的消費電力が大きく、長期の連続使用が困難で、かつその充電管理も面倒になるという問題がある。
【０００６】
また、被検知端末自体は、小形化及び軽量化ができたとしても、必要最小限の大きさと重さを有しているため、被検知端末の存在が目立ち易い。そのため、徘徊中等において徘徊者の不注意または故意に被検知端末を身体から取り外して紛失したり、あるいは破損した場合には、徘徊者の位置管理及び監視が不能になり、特に認知症を発症している徘徊者の場合には行方不明者となってしまう。また、このような徘徊者が第三者により発見されたとしても、本人の名前、居住場所や連絡先等を確認する手段がないため、本人確認には多くの時間と人手を要するほか、最悪の場合には、本人確認ができないまま、行方不明者として保護施設等に収容されてしまうのが現状である。
【０００７】
本発明は、上述のような問題を解決するためになされたもので、被保護者及び保護者に負担をかけることなく半永久的に利用できるとともに被保護者の確認及び保護を確実かつ迅速に行うことができる被保護者連絡用タグ及び被保護者連絡用タグの運用・管理システム並びに被保護者連絡用タグを用いた被保護者の照会・通報システムを提供することを目的とする。
【課題を解決するための手段】
【０００８】
上記目的を達成するために、本発明は、被保護者を保護した際に利用される被保護者連絡用タグであって、被保護者が着用する衣服に装着可能なタグ基材と、前記タグ基材に形成された二次元コードを有し、前記二次元コードは、被保護者ごとに被保護者の氏名、緊急連絡先含む被保護者緊急連絡情報を二次元コード化されたものであり、前記被保護者緊急連絡情報は、被保護者氏名、被保護者を特定する識別番号、緊急連絡先である行政機関名及び前記被保護者連絡用タグの運用センター名であることを特徴とする。
【０００９】
また、本発明は、被保護者連絡用タグの運用・管理システムであって、被保護者を保護した際に利用される被保護者連絡用タグを作製し、かつ被保護者緊急連絡情報を運用管理する運用センター装置を有し、前記運用センター装置は、被保護者からの依頼により提出される前記被保護者緊急連絡情報が入力される入力部と、前記入力部に入力された前記被保護者緊急連絡情報を二次元コードに変換する二次元コード変換部と、前記二次元コード変換部で変換された二次元コードをタグ基材に印刷して被保護者連絡用タグを作製する二次元コード印刷部とを備え、前記運用センター装置は、前記被保護者緊急連絡情報に加え被保護者申込み情報を管理し、前記被保護者申込み情報は、被保護者からの依頼により提出されて前記入力部に入力され、前記被保護者緊急連絡情報は被保護者氏名，被保護者を特定する識別番号，緊急連絡先である行政機関名及び運用センター名であり、前記被保護者申込み情報は被保護者の氏名，居住場所，居住場所の連絡先，家族の連絡先及び被保護者かかりつけの病院名もしくは病歴であることを特徴とする。
【００１０】
また、本発明は、被保護者の照会・通報システムであって、被保護者を保護した際に利用される被保護者連絡用タグを作製し、かつ被保護者緊急連絡情報を運用管理する運用センター装置と、前記運用センター装置に通信回線を介して接続されたカメラ機能付きの携帯電話機と、前記運用センター装置及び前記携帯電話機に通信回線を介して接続された行政機関用の通信端末を有し、前記運用センター装置は、被保護者からの依頼により提出される前記被保護者緊急連絡情報が入力される入力部と、前記入力部に入力された前記被保護者緊急連絡情報を二次元コードに変換する二次元コード変換部と、前記二次元コード変換部で変換された二次元コードをタグ基材に印刷して被保護者連絡用タグを作製する二次元コード印刷部とを備え、前記携帯電話機は、徘徊する被保護者が第三者により保護された際に前記被保護者の衣服に固着された前記被保護者連絡用タグに印刷された前記二次元コードを撮像する撮像部と、前記撮像部で撮像された二次元コードをデコードするデコード部と、前記デコード部でデコードされたデータを前記被保護者緊急連絡情報として表示する表示部とを備え、前記表示部に表示された前記被保護者緊急連絡情報から被保護者の氏名及び識別番号と緊急連絡先を確認し、かつ当該被保護者の氏名及び識別番号を前記携帯電話機及び前記通信端末を通して緊急連絡先である行政機関に通報し、さらに前記通信端末から前記運用センター装置に被保護者の氏名及び識別番号を通報して被保護者の照会を行うように構成されていることを特徴とする。
【発明の効果】
【００１１】
本発明によれば、被保護者及び保護者に負担をかけることなく低コストで提供できるとともに被保護者の確認及び保護を低コストで迅速かつ確実に行うことができる。
【図面の簡単な説明】
【００１２】
【図１】本発明に係る被保護者連絡用タグを被保護者が着用する衣類に縫い付けて使用した場合の一例を示す説明図である。
【図２】(ａ)は本発明の被保護者連絡用タグを構成する織布等のタグ基材に被保護者緊急連絡情報を二次元コードに変換して印刷した場合の被保護者連絡用タグの一例を示す拡大正面図であり、(ｂ)は被保護者連絡用タグの他の例を示す拡大正面図であり、(ｃ)は被保護者連絡用タグの更に他の例を示す拡大正面図である。
【図３】二次元コードをデコードすることにより表示される被保護者緊急連絡情報の一例を示す説明図である。
【図４】被保護者連絡用タグの申し込み時に提示される被保護者の顧客情報の一例を示す説明図である。
【図５】本発明に係る被保護者連絡用タグの運用・管理システム及び被保護者の照会・通報システムの全体構成及び内部構成を示すブロック図である。
【図６】本発明に係る被保護者の照会・通報システムを構成する携帯電話機の内部構成を示すブロック図である。
【図７】本発明に係る被保護者の照会・通報システムを構成する行政機関用通信端末の内部構成を示すブロック図である。
【発明を実施するための形態】
【００１３】
次に、本発明に係る被保護者連絡用タグの実施の形態について図１乃至図４を参照して説明する。
被保護者連絡用タグ１０は、図１及び図２に示すように、所望大きさの表面積を有する四角状に加工された布製のタグ基材１０１を有している。タグ基材１０１には、被保護者緊急連絡情報を二次元コード化した二次元コード１０２が印刷されている。
具体的には、図２（ａ）に示すように、サテン地からなる所定の幅を有するテープ状の織布１０１ａを所定の長さに切断した後、このテープ状織布１０１ａを長さ方向に二つ折りにし、互いに重ね合わされた両端縁をホットメルト接着剤その他の手段により接合することにより、被保護者が着用する衣服への取り付けが可能なタグ基材１０１が構成される。また、被保護者連絡用タグ１０の接合端側には、衣類への固着代１０１ｂが設けられている。また、タグ基材１０１には、被保護者連絡用タグ１０の存在を第三者等に容易に認識させ、かつ連絡先への連絡を促すために、例えば、図２（ａ）に示すように、「あんしん連絡システム」のような案内文１０３が合わせて印刷されている。
このような被保護者連絡用タグ１０は、被保護者照会・通報システムの利用申し込みがあった際に被保護者毎に作製されて被保護者に付与されるものである。
【００１４】
各被保護者に付与された被保護者連絡用タグ１０は、図１に示すように、固着代１０１ｂを被保護者２が着用している上着や肌着などの衣類４に縫い付けまたはホットメルト接着剤により固着され利用される。この場合、被保護者連絡用タグ１０は、被保護者が着用する衣類ごとに設けるようにしてもよい。これにより、被保護者連絡用タグ１０を固着した衣類４を着用する被保護者２は、被保護者連絡用タグ１０を半永久的に保持することが可能になる。
【００１５】
被保護者緊急連絡情報は、自宅や施設等に帰ることができず行方不明に陥った被保護者を保護者以外の第三者が保護した時点で被保護者の氏名や緊急連絡先を知るために用いられるものである。
このための被保護者緊急連絡情報は、例えば、図３に示すように、被保護者氏名、被保護者を特定する識別番号、緊急連絡先である警察署、消防署及び被保護者が住民登録している市役所などの行政機関名及び該行政機関の電話番号、被保護者連絡用タグ１０の被保護者緊急連絡情報を運用管理する運用センター名などを含んで構成されている。このような被保護者緊急連絡情報は、被保護者連絡用タグ１０を運用管理する運用センター装置（後述する）において二次元コード化されるようになっている。
【００１６】
なお、被保護者連絡用タグ１０としては、図２（ａ）に示す形状のものに限定されるものではなく、例えば、図２（ｂ）に示すように、二つ折りせずに展開されたままのテープ状織布１０１ａをタグ基材１０１とし、このタグ基材１０１に、図２（ａ）に示す場合と同様に二次元コード１０２及び「あんしん連絡システム」の案内文１０３を印刷し、さらに、「安」の文字を○で囲んだマーク１０４が合わせて印刷されたものでもよい。ここで、「あんしん連絡システム」の案内文１０３に加えてマーク１０４を設ける理由は、被保護者を発見または保護した際に、衣服に固着されている被保護者連絡用タグ１０の存在を周囲の第三者に対して目立たせるためである。特に、マーク１０４としては、被保護者が居住する地域にちなんだマークやキャラクターなどが入ったものであってもよい。
また、被保護者連絡用タグ１０は、図２（ｃ）に示すように、テープ状織布１０１ａ二つ折りにしてなるタグ基材１０１の表面にマーク１０４を印刷し、かつタグ基材１０１の裏面に二次元コード１０２と「あんしん連絡システム」の案内文１０３を印刷してなるものであってもよい。
【００１７】
被保護者側からのシステムの利用申し込み時に提出される被保護者申込み情報は、例えば、図４に示すように、被保護者氏名，自宅及び施設を含む被保護者の居住場所である住所，その連絡先，被保護者家族の連絡先及び被保護者かかりつけ病院名や病歴などを含んで構成されている。
【００１８】
次に、被保護者連絡用タグの運用・管理システム及び被保護者の照会・通報システムについて、図５を参照して説明する。
被保護者連絡用タグの運用・管理システムは、被保護者を保護した際に利用される被保護者連絡用タグを作製し、かつ被保護者申込み情報及び被保護者緊急連絡情報を運用管理する運用センター装置２０を備えている。
【００１９】
運用センター装置２０は、制御部２０１と、入力作部２０２と、被保護者申込み情報記憶部２０３と、被保護者緊急連絡情報記憶部２０５と、二次元コード変換部２０６と、二次元コード記憶部２０７と、二次元コード印刷部２０８と、タグ基材供給部２０９と、通信制御部２１０と、行政機関登録部２１１を含んで構成されている。
【００２０】
制御部２０１は、運用センター装置２０全体を制御するもので、運用センター装置２０との通信を司る通信制御部２１０を介してインターネット等の通信回線３０に接続されている。
入力部２０２は、被保護者側からのシステムの利用申し込み時に提出される被保護者申込み情報及び被保護者緊急連絡情報などを入力するもので、制御部２０１に接続され、かつ表示部２０２ａを有している。
被保護者申込み情報記憶部２０３は、入力部２０２に入力された被保護者申込み情報をデジタル化して登録するもので、制御部２０１に接続されている。
被保護者緊急連絡情報記憶部２０５は、入力部２０２に入力された被保護者緊急連絡情報をデジタル化して登録するもので、制御部２０１に接続されている。
【００２１】
二次元コード変換部２０６は、デジタル化された被保護者緊急連絡情報を二次元コードに変換するもので、制御部２０１に接続されている。
二次元コード記憶部２０７は、二次元コード変換部２０６で変換された二次元コードを映像情報として登録するもので、二次元コード変換部２０６及び制御部２０１に接続されている。
二次元コード印刷部２０８は、二次元コード変換部２０６で変換された二次元コードを映像としてタグ基材１０１に印刷し被保護者連絡用タグ１０を作製するもので、二次元コード記憶部２０７及び制御部２０１に接続されている。
タグ基材供給部２０９は、例えば、ロール状に巻回された織布１０１ａを必要な長さに切断することで作成されたタグ基材１０１を二次元コード印刷部２０８に供給するもので、制御部２０１に接続されている。
行政機関登録部２１１は、運用センターにおいて指定された緊急連絡先用の行政機関を登録するもので、制御部２０１に接続されている。指定される行政機関は、例えば、被保護者の居住地域に存在する警察署や消防署、市役所などに相当する。
【００２２】
被保護者の照会・通報システムは、運用センター装置２０に加えて、被保護者を直接保護する保護者以外の第三者が所有する携帯電話機４０と、緊急連絡先である警察署、消防署及び市役所などの行政機関に設置された通信端末５０とを含んで構成されている。
【００２３】
携帯電話機４０は、徘徊する被保護者を保護した時に、被保護者の衣服に装着されている被保護者連絡用タグ１０の二次元コードを携帯電話機内蔵の撮像部で撮像し、この二次元コードをデコードすることで得られる被保護者の氏名及び識別番号を含む情報を緊急連絡先である行政機関に通報し連絡するものであり、通信回線３０に接続された基地局６０を介して運用センター装置２０及び行政機関に設置された通信端末５０に接続されている。
【００２４】
携帯電話機４０は、図６に示すように、入力部４０１と、入力部４０１からの撮像指令により被保護者連絡用タグ１０に印刷された二次元コードを撮像する撮像部４０２と、撮像部３０２で撮像された二次元コードをデコードするデコード部４０３と、デコード部４０３でデコードされたデータを被保護者緊急連絡情報として表示する表示部４０４と、二次元コードをデコードするためのプログラム及び表示情報を記憶する記憶部４０５と、基地局６０との通信を司る通信制御部４０６と、これらを制御する制御部４０７とを備えている。
【００２５】
通信端末５０は、運用センター装置２０及び携帯電話機４０との通信を行うもので、図７に示すように、入力部５０１と、液晶表示部５０２と、運用センター装置２０及び携帯電話機４０との通信を司る通信制御部５０３と、これらを制御する制御部５０４とを備えている。
【００２６】
次に、本実施の形態に示す被保護者連絡用タグの運用・管理システム及び被保護者の照会・通報システムの動作について説明する。
システムの利用に際しては、まず、図４に示す被保護者申込み情報を、ファックスまたは通信端末を利用して運用センター装置１０に送信する。
運用センター装置１０では、受信した被保護者申込み情報を入力部２０２に入力される。入力された被保護者申込み情報は表示部２０２ａに表示されるとともに、入力部２０２からの指令に従ってデジタル化され被保護者申込み情報記憶部２０３に登録される。
【００２７】
次いで、入力部２０２から、図３に示す被保護者の氏名及び識別番号と緊急連絡先含む被保護者緊急連絡情報を入力し、デジタル化された後、被保護者緊急連絡情報記憶部２０５に登録される。
さらに、被保護者緊急連絡情報は、二次元コード変換部２０６において、入力部２０２からの二次元コード化指令にしたがい二次元コードに変換される。変換された二次元コードは、入力部２０２からの登録指令にしたがい映像化されて二次元コード記憶部２０７に登録される。
【００２８】
次いで、入力部２０２から制御部２０１を通して二次元コード印刷部２０８及びタグ基材供給部２０９に二次元コード印刷指令が与えられると、タグ基材供給部２０９が作動して、ロール状に巻回された織布１０１ａが必要な長さに切断され、タグ基材１０１としてタグ基材供給部２０９から二次元コード印刷部２０８に供給される。タグ基材１０１が二次元コード印刷部２０８に供給されると、二次元コード印刷部２０８が作動し、タグ基材１０１に二次元コード１０２が図２に示すように印刷され、被保護者連絡用タグ１０が作製される。作製された被保護者連絡用タグ１０は、システムの利用申し込みをした被保護者に配布される。
そして、配布された被保護者連絡用タグ１０は、図１に示すように、被保護者２が着用する上着や肌着などの衣類４に縫い付けまたはホットメルト接着剤により固着される。
【００２９】
次に、徘徊する被保護者が保護者以外の第三者により保護された時の被保護者照会及び通報について説明する。
徘徊する被保護者が第三者により保護された場合は、まず、第三者が所有する携帯電話機４０の撮像部４０１により、被保護者２の衣服４に固着された被保護者連絡用タグ１０に印刷されている二次元コード１０２を撮像する。撮像部４０２で撮像された二次元コードはデコード部４０３でデコードされ、目視可能な被保護者緊急連絡情報として表示部４０４に表示される。
【００３０】
しかる後、表示部４０４に表示された被保護者緊急連絡情報のうちから被保護者の氏名及び識別番号と緊急連絡先を確認した後、携帯電話機４０から基地局６０及び通信回線３０を通して通信端末５０に緊急連絡先である行政機関名(警察署または消防署)に被保護者の氏名及び識別番号を通報する。かかる通報を受けた通信端末５０では、運用センター装置２０に被保護者の氏名及び識別番号を通報して被保護者の照会を行う。
ここで、運用センターで指定された行政機関からの問い合わせに対しては、制御部２０１において、問合せ行政機関が行政機関登録部２１１に登録されているか否かを判定し、登録されている行政機関と判定された場合は問い合わせを許可して運用センター装置２０との通信が確立されるように通信制御部２１０を制御し、登録されていない行政機関と判定された場合は問い合わせを拒否して運用センター装置２０との通信が確立されないように通信制御部２１０を制御する。これにより、被保護者申込み情報を含めた被保護者の個人情報を保護することが可能になる。
【００３１】
問合せ行政機関との通信が確立された場合は、運用センター装置２０が通信端末５０から被保護者の氏名及び識別番号の通報を受けた場合には、運用センター装置２０の被保護者申込み情報記憶部２０３から識別番号に該当する被保護者申込み情報（図４参照）を検索し、この被保護者申込み情報を、通信回線３０を介して通信端末５０に送信し、その液晶表示部５０２に表示する。また、行政機関に設置された図示省略のファックスを利用して送信するようにすることも可能である。
【００３２】
これにより、行政機関では被保護者を特定することができるため、その後の被保護者に対する対処をスムーズに行うことが可能になる。この場合、通信端末５０の液晶表示部５０２に表示された被保護者の被保護者申込み情報の中に、被保護者家族の連絡先や被保護者かかりつけ病院名や病歴が記載されていれば、被保護者の病院への搬送をスムーズに行うことができる。
【００３３】
上記のように被保護者連絡用タグの運用・管理システム及び被保護者連絡用タグを用いた被保護者の照会・通報システムによれば、被保護者の氏名及び識別番号と緊急連絡先含む被保護者緊急連絡情報を二次元コード化してタグ基材１０１に印刷してなる被保護者連絡用タグ１０を被保護者の衣服に固着するだけでよいため、被保護者連絡用タグ１０を被保護者及び保護者に負担をかけることなく低コストで提供することができ、しかも、行方不明になった被保護者の確認及び保護を低コストで迅速かつ確実に行うことができる。これに伴い、従来のような携帯電話機能とＧＰＳ機能を備えてなる被検知端末が不要になり、システムのランニングコストを大幅に低減することができる。
【００３４】
なお、上記実施の形態では、タグ基材供給部２０９として、ロール状に巻回された織布１０１ａを必要な長さに切断してなるタグ基材１０１を二次元コード印刷部２０８に供給する場合について説明したが、これに限らず、所望の幅と長さを有するサテン地製のタグ基材を積層状態で用意しておき、この積層状態のタグ基材を一枚ずつ次元コード印刷部２０８に供給する方式でもよく、タグ基材の供給方式は、特許請求の範囲に記載された範囲を逸脱されない範囲において、種々変更することができる。
また、図１に示す実施の形態では、テープ状織布１０１ａを二つ折りにしたタグ基材１０１からなる被保護者連絡用タグ１０を被保護者の衣類に固着した場合について説明したが、これに限らず、図２（ｂ）に示す形状の被保護者連絡用タグ１０の裏面を被保護者の衣類にホットメルト接着剤により固着するようにしてもよい。
【符号の説明】
【００３５】
２……被保護者
４……衣服
１０……被保護者連絡用タグ
１０１……タグ基材
１０２……二次元コード
２０……運用センター装置
２０１……制御部
２０２……入力作部
２０６……二次元コード変換部
２０８……二次元コード印刷部
２０９……タグ基材供給部
２１１……行政機関登録部
３０……通信回線
４０……携帯電話機
４０１……入力部
４０２……撮像部
４０３……デコード部
４０４……表示部
４０７……制御部
５０……通信端末
５０１……入力部
５０２……液晶表示部
６０……基地局
【要約】
【課題】被保護者及び保護者に負担をかけることなく低コストで提供できるとともに被保護者の確認及び保護を低コストで確実かつ迅速に行うことができる被保護者連絡用タグ及びその運用・管理システム並びに被保護者の照会・通報システムを提供する。
【解決手段】被保護者の氏名及び識別番号と緊急連絡先含む被保護者緊急連絡情報を二次元コード化してタグ基材１０１に印刷してなる被保護者連絡用タグ１０を運用・管理システムにより作製する。そして、被保護者連絡用タグ１０を固着した衣服を着用する被保護者が保護された時に被保護者照会・通報システムを利用し、運用センター装置２０に被保護者の氏名及び識別番号により徘徊する被保護者を確認するように構成した。
【選択図】図５【図１】
0005828951.tif 000002
【図２】
0005828951.tif 000003
【図３】
0005828951.tif 000004
【図４】
0005828951.tif 000005
【図５】
0005828951.tif 000006
【図６】
0005828951.tif 000007
【図７】
0005828951.tif 000008